(57)【要約】      （修正有）【課題】土地勘のない人が速やかに避難行動を行える表示装置、制御装置、システム及び避難情報表示方法を提供する。【解決手段】システムは、表示装置２１０と接続された制御装置２００を備える。制御装置は、接続された表示装置の位置を示す第１の位置情報と、表示装置から避難する避難場所の位置を示す第２の位置情報と、を対応づけて記憶する記憶部２０１と、所定の契機（例えば、災害メッセージ受信した時）に、第１、第２の位置情報を基に前記表示装置から避難場所までの道路を検索するルート検索部２０２と、表示装置最寄の道路が前記避難場所に向かう方角を算出する方角算出部２０３と、算出した方角に対応する信号を送信する送信部２０４と、を備える。表示装置は、表示手段２１１を備え、受信した信号に含まれる方角と表示手段の向きに対応する、避難場所に向かう方向を示す記号を表示手段に表示する。【選択図】図２１
2016153927.tif 000002
【特許請求の範囲】
【請求項１】
接続された表示装置の位置を示す第１の位置情報と、前記表示装置から避難する避難場所の位置を示す第２の位置情報と、を対応づけて記憶する記憶部と、
所定の契機に、前記記憶部から抽出した前記第１、第２の位置情報を基に前記表示装置から前記避難場所までの道路を検索するルート検索部と、
前記ルート検索部により検索された道路のうち、前記表示装置最寄の道路が前記避難場所に向かう方角を算出する方角算出部と、
前記方角算出部が算出した前記方角に対応する信号を前記表示装置に送信する送信部と、
を備えることを特徴とする制御装置。
【請求項２】
複数の前記表示装置が接続され、
前記所定の契機に、前記憶部に記憶される全ての前記第１の位置情報のうち、前記記憶部から任意に抽出した１組の前記第１、第２の位置情報の間に位置する前記第１の位置情報の数を算出する密度算出部を備え、
前記送信部は、前記密度算出部が算出した前記数が一定数以下である場合に、前記密度算出部により抽出された前記第１、第２の位置情報と地図を示す情報を含む信号を、抽出された前記第１の位置情報に係る前記表示装置に送信する、
ことを特徴とする請求項１に記載の制御装置。
【請求項３】
前記送信部は、前記密度算出部が算出した前記数が一定数より大きい場合に、前記方角に対応する信号を、抽出された前記第１の位置情報に係る前記表示装置に送信する、
ことを特徴とする請求項２に記載の制御装置。
【請求項４】
前記記憶部は、エリア名と対応づけて前記第１、第２の位置情報を記憶し、
前記ルート検索部は、受信した所定の災害メッセージより抽出したエリア名に対応する前記第１、第２の位置情報を前記記憶部から抽出する、
ことを特徴とする請求項１乃至３のいずれか１項に記載の制御装置。
【請求項５】
表示手段を備える装置であって、
受信した信号が示す方角と前記表示手段の向きに対応する、避難場所に向かう方向を示す記号を前記表示手段に表示する、
ことを特徴とする表示装置。
【請求項６】
接続する無線通信先の基地局から繰り返し送信される所定の信号を所定時間受信しない場合には、無線通信不可を示す情報を前記表示手段に表示する、
ことを特徴とする請求項５に記載の表示装置。
【請求項７】
前記表示手段に所定の地図を表示し、
受信した前記信号に地図を示す情報と前記位置情報が含まれる場合には、前記位置情報を前記地図上に表示する、
ことを特徴とする請求項５乃至６のいずれか１項に記載の表示装置。
【請求項８】
少なくとも１つの表示装置と接続された制御装置を備え、
前記制御装置は、請求項１乃至４のいずれか１項に記載の制御装置であり、
前記表示装置は、請求項５乃至７のいずれか１項に記載の表示装置である、
ことを特徴とするシステム。
【請求項９】
所定の契機に、表示装置の位置を示す第１の位置情報と、前記表示装置から避難する避難場所の位置を示す第２の位置情報と、を対応づけて記憶する記憶手段から抽出した前記第１、第２の位置情報を基に前記表示装置から前記避難場所までの道路を検索するルート検索ステップと、
前記ルート検索ステップにより検索された道路のうち、前記表示装置最寄の道路が前記避難場所に向かう方角を算出する方角算出ステップと、
前記方角算出ステップで算出した前記方角に対応する信号を前記表示装置に送信する送信ステップと、
表示手段を備えた前記表示装置が、受信した信号が示す方角と前記表示手段の向きに対応する、前記避難場所に向かう方向を示す記号を前記表示手段に表示する表示ステップと、を有する、
ことを特徴とする避難情報提供方法。
【請求項１０】
前記所定の契機に、前記記憶手段に記憶される全ての前記第１の位置情報のうち、前記記憶手段から任意に抽出した１組の前記第１、第２の位置情報の間に位置する前記第１の位置情報の数を算出する密度算出ステップを有し、
前記送信ステップでは、前記密度算出ステップで算出された前記数が一定数以下である場合に、前記密度算出ステップで抽出された前記第１、第２の位置情報と地図を示す情報を含む信号を、抽出された前記第１の位置情報に係る前記表示装置に送信し、
前記表示装置は、前記表示ステップにおいて、受信した信号に地図を示す情報と前記位置情報が含まれる場合には、前記第１、第２の位置情報を前記地図上に表示する、
ことを特徴とする請求項９に記載の避難情報提供方法。
【発明の詳細な説明】
【技術分野】
【０００１】
本発明は、表示装置、制御装置、システム、避難情報提供方法に関し、特に、災害発生時に避難情報を提供する表示装置、制御装置、システム、避難情報提供方法に関する。
【背景技術】
【０００２】
一般的に、災害発生時に避難情報を提供するシステムが知られている。災害発生時に避難情報を提供するシステムは、以下の特許文献１に開示されている。
【０００３】
特許文献１のシステムは、自動販売機と地域情報センターを備える。自動販売機と地域情報センターはネットワークを介して接続される。地域情報センターは、消防庁から配信される緊急信号を受信する装置である。緊急信号は、緊急地震速報や大津波警報、緊急火山情報等であり、緊急コード（災害の種類を識別する情報）を含む。
【０００４】
地域情報センターは、緊急信号を受信したとき、緊急信号に含まれる緊急コードを自動販売機に送信する。自動販売機は、受信した緊急コードから災害の種類を判別し、災害の種類の応じた警報や避難情報（避難場所や避難経路）を放送する。各警報や避難情報は、自動販売機内のＤＶＤ（Ｄｉｇｉｔａｌ  Ｖｅｒｓａｔｉｌｅ  Ｄｉｓｃ）に予め記録されている。
【０００５】
上述の構成や動作の通り、特許文献１のシステムは、災害発生時に避難情報を自動販売機周辺の人に伝達（提供）することができる。
【先行技術文献】
【特許文献】
【０００６】
【特許文献１】特開２０１１−３９７６８号公報
【発明の概要】
【発明が解決しようとする課題】
【０００７】
しかし、特許文献１のシステムは、避難場所や避難経路を放送するだけなので、土地勘のない人が速やかに避難行動を行えるとは限らないという課題があった。
【０００８】
例えば、特許文献１のシステムが「避難場所は○○小学校。避難経路は△△スーパー前の道路を真っ直ぐ進んで下さい。」と放送したとき、土地勘のない人は、どう避難場所に行けばよいのか必ずしも分からず、速やかに避難行動を行えるとは限らなかった。
【０００９】
本発明は、上記課題を解決する表示装置、制御装置、システム、避難情報表示方法を提供することを目的とする。
【課題を解決するための手段】
【００１０】
上記目的を達成するために、本発明の表示装置は、表示手段を備える装置であって、受信した信号が示す方角と前記表示手段の向きに対応する、避難場所に向かう方向を示す記号を前記表示手段に表示する。
【００１１】
上記目的を達成するために、本発明の制御装置は、接続された表示装置の位置を示す第１の位置情報と、前記表示装置から避難する避難場所の位置を示す第２の位置情報と、を対応づけて記憶する記憶部と、所定の契機に、前記記憶部から抽出した前記第１、第２の位置情報を基に前記表示装置から前記避難場所までの道路を検索するルート検索部と、前記ルート検索部により検索された道路のうち、前記表示装置最寄の道路が前記避難場所に向かう方角を算出する方角算出部と、前記方角算出部が算出した前記方角に対応する信号を前記表示装置に送信する送信部と、を備える。
【００１２】
上記目的を達成するために、本発明のシステムは、少なくとも１つの表示装置と接続された制御装置を備え、前記制御装置は、接続された表示装置の位置を示す第１の位置情報と、前記表示装置から避難する避難場所の位置を示す第２の位置情報と、を対応づけて記憶する記憶部と、所定の契機に、前記記憶部から抽出した前記第１、第２の位置情報を基に前記表示装置から前記避難場所までの道路を検索するルート検索部と、前記ルート検索部により検索された道路のうち、前記表示装置最寄の道路が前記避難場所に向かう方角を算出する方角算出部と、前記方角算出部が算出した前記方角に対応する信号を前記表示装置に送信する送信部と、を備える制御装置であり、前記表示装置は、表示手段を備える装置であって、受信した信号が示す方角と前記表示手段の向きに対応する、避難場所に向かう方向を示す記号を前記表示手段に表示する表示装置である。
【００１３】
上記目的を達成するために、本発明の避難情報提供方法は、所定の契機に、表示装置の位置を示す第１の位置情報と、前記表示装置から避難する避難場所の位置を示す第２の位置情報と、を対応づけて記憶する前記記憶手段から抽出した前記第１、第２の位置情報を基に前記表示装置から前記避難場所までの道路を検索するルート検索ステップと、前記ルート検索ステップにより検索された道路のうち、前記表示装置最寄の道路が前記避難場所に向かう方角を算出する方角算出ステップと、前記方角算出ステップで算出した前記方角に対応する信号を前記表示装置に送信する送信ステップと、表示手段を備えた前記表示装置が、受信した信号が示す方角と前記表示手段の向きに対応する、前記避難場所に向かう方向を示す記号を前記表示手段に表示する表示ステップと、を有する。
【発明の効果】
【００１４】
本発明によれば、災害が発生した時、土地勘のない人でも、速やかに避難行動を行うことができる。
【図面の簡単な説明】
【００１５】
【図１】本発明の第１の実施の形態におけるシステムの構成例を示す図である。
【図２】本発明の第１の実施の形態におけるシステムに備わる自動販売機に設定される対応表の構成例を示した図である。
【図３】本発明の第１の実施の形態におけるシステムに備わるデータベースに格納されるテーブルの構成例を示した図である。
【図４】本発明の第１の実施の形態におけるシステムの動作（システムに備わるサーバの動作）を説明する為の図である。
【図５】本発明の第１の実施の形態におけるシステムの動作（システムに備わる自動販売機の動作）を説明する為の図である。
【図６】本発明の第１の実施の形態におけるシステムに備わるサーバが算出する道路リンクデータを説明する為の図である。
【図７】本発明の第２の実施の形態におけるシステムの構成例を示す図である。
【図８】本発明の第２の実施の形態におけるシステムの動作（システムに備わる自動販売機の動作）を説明する為の図である。
【図９】本発明の第３の実施の形態におけるシステムの構成例を示す図である。
【図１０】本発明の第３の実施の形態におけるシステムの動作（システムに備わるサーバの動作）を説明する為の図である。
【図１１】本発明の第３の実施の形態におけるシステムの動作（システムに備わる自動販売機の動作）を説明する為の図である。
【図１２】本発明の第４の実施の形態におけるシステムの構成例を示す図である。
【図１３】本発明の第４の実施の形態におけるシステムの動作（システムに備わる自動販売機の動作）を説明する為の図である。
【図１４】本発明の第４の実施の形態におけるシステムの動作（システムに備わるサーバの動作）を説明する為の図である。
【図１５】本発明の第４の実施の形態におけるシステムの動作（システムに備わる自動販売機の動作）を説明する為の図である。
【図１６】本発明の第５の実施の形態におけるシステムの構成例を示す図である。
【図１７】本発明の第５の実施の形態におけるシステムの動作を説明する為の図である。
【図１８】本発明の第６の実施の形態におけるシステムの構成例を示す図である。
【図１９】本発明の第６の実施の形態におけるシステムの動作（システムに備わるサーバの動作）を説明する為の図である。
【図２０】本発明の第６の実施の形態におけるシステムの動作（システムに備わる自動販売機の動作）を説明する為の図である。
【図２１】本発明の第７の実施の形態におけるシステムの構成例を示す図である。
【発明を実施するための形態】
【００１６】
次に本発明の実施形態について、図面を参照して詳細に説明する。
【００１７】
≪第１の実施の形態≫
[概要]
本発明の第１の実施の形態におけるシステムは、緊急地震速報を受信した場合、地震発生エリアの自動販売機のディスプレイに、最寄の避難場所に向かう矢印を表示させ、土地勘のない人であっても速やかに避難ができるようにする。
【００１８】
その為、本実施形態のシステムに備わるサーバは、受信した緊急地震速報から地震発生エリアを特定し、データベースから、地震発生エリアの自動販売機の位置情報、及び最寄の避難場所の位置情報を抽出する。データベースには、エリア（例えば、東京や神奈川）毎に、当該エリアに設置されている自動販売機の位置情報と、該自動販売機最寄の避難場所の位置情報と、が格納されている。
【００１９】
サーバは、抽出した自動販売機及び避難場所の位置情報毎に、当該自動販売機から最寄の避難場所に至る道路を周知のカーナビ経路探索技術でルート検索し、検索した道路に沿って当該自動販売機から避難場所に向かう方角（東西南北）を算出する。サーバは、算出した避難場所に向かう方角を当該自動販売機に通知する。
【００２０】
各自動販売機はディスプレイを備え、サーバから通知された避難場所に向かう方角（東西南北）と、自身に備わるディスプレイの向き（東西南北）を基に、避難場所に向かう方向を示す矢印（←→↑↓）をディスプレイに表示する。
【００２１】
以下に、本発明の第１の実施の形態におけるシステムの構成や機能、動作の詳細について説明する。
【００２２】
［構成の説明］
まず、本発明の第１の実施の形態におけるシステムの構成と機能について説明する。図１は、本発明の第１の実施の形態におけるシステムの構成例を示す図である。図２は、本発明の第１の実施の形態におけるシステムに備わる自動販売機に設定される対応表の構成例を示した図である。
【００２３】
（１）本発明の第１の実施の形態におけるシステムの構成
本実施形態のシステムは、図１に示されるように、自動販売機１（以下、「自販機１」という）と、自動販売機２（以下、「自販機２」という）と、無線基地局２０と、通知センターサーバ３０と、ネットワーク４０と、災害情報配信システム５０と、を備える。通知センターサーバ３０はデータベース３１を備える。自販機１と自販機２各々は、一般的なディスプレイ１１、２１を備える。
【００２４】
自販機１と自販機２は、無線回線を介して無線基地局２０と接続される。無線基地局２０、通知センターサーバ３０、及び災害情報配信システム５０は、ネットワーク４０を介して互いに接続される。ネットワーク４０は、移動体通信ネットワークを含む一般的なネットワークである。
【００２５】
（２）自販機１、２の機能
自販機１、２は同じ機能を備えるので、代表して自販機１の機能について説明を行う。
【００２６】
（２−１）無線通信機能
まず、自販機１は、無線基地局２０と無線通信を行う機能を備える。具体的には、自販機１は、３ＧＰＰ（３ｒｄ  Ｇｅｎｅｒａｔｉｏｎ  Ｐａｒｔｎｅｒｓｈｉｐ  Ｐｒｏｊｅｃｔ）に準拠する無線通信機能を備える。
【００２７】
（２−２）問い合わせ機能
自販機１は、通知センターサーバ３０に自身宛てのメッセージがあるか問い合わせを行う。具体的には、自販機１は、問い合わせを行う為のメッセージ（以下、「問い合わせメッセージ」という）を無線通信機能により無線基地局２０に送信する。
【００２８】
問い合わせメッセージの送信は、本実施形態のシステムの管理者によって予め自販機１に設定された一定間隔のタイミング毎に行われる。なお、自販機１は、問い合わせメッセージに自販機１の識別子を含めて送信する。通知センターサーバ３０がどの自販機からのメッセージか分かるようにするためである。自販機１の識別子は、予め本実施形態のシステムの管理者によって自販機１に設定される。
【００２９】
自販機１は、無線通信機能により、無線基地局２０から自分宛ての避難通知メッセージを受信する。なお、自販機１は、受信した避難通知メッセージに自身の識別子（自販機１の識別子）が含まれていることを確認してもよい。自分宛ての避難通知メッセージかを確認する為である。
【００３０】
（２−３）記憶機能
自販機１には、ディスプレイ１１の向き（東西南北）を示す情報が本実施形態のシステムの管理者によって、予め設定される。自販機１は、設定されたディスプレイ１１の向きを示す情報を記憶する。
【００３１】
さらに、自販機１には、図２に示されるように、避難場所に向かう方角（東西南北）を示す情報、ディスプレイ１１の向き（東西南北）を示す情報、及び避難場所に向かう方向（左右上下）を示す情報が対応づけられた対応表が予め設定される。本実施形態のシステムの管理者が対応表を設定してもよい。自販機１は、設定された対応表を記憶する。
【００３２】
（２−４）避難方向表示機能
自販機１は、無線基地局２０から受信した避難通知メッセージより方角（東西南北）を示す情報を抽出する。抽出した方角を示す情報は、自販機１から避難場所に向かう方角を示す情報である。
【００３３】
自販機１は、抽出した避難所に向かう方角を示す情報とディスプレイ１１の向き（東西南北）を示す情報に対応する、避難場所に向かう方向（左右上下）を示す情報を対応表から取得する。
【００３４】
自販機１は、取得した避難場所に向かう方向（左右上下）を示す情報に対応する矢印（←→↑↓）をディスプレイ１１に表示する。
【００３５】
（３）無線基地局２０の機能
無線基地局２０は、３ＧＰＰに準拠して、自販機１、２と通信を行う無線通信機能を備える。無線基地局２０は、無線通信機能によって受信した自販機１、２からの問い合わせメッセージを通知センターサーバ３０に送信する。無線基地局２０は、通知センターサーバ３０より受信した避難通知メッセージを無線通信機能によって自販機１、２に送信する。
【００３６】
（４）通知センターサーバ３０の機能
（４−１）データベース３１に格納されるテーブルについて
図３は、本発明の第１の実施の形態におけるシステムのデータベース３１に格納されるテーブルの構成例を示した図である。
【００３７】
データベース３１には、図３に示されるように、エリア名（例えば、東京や神奈川）と、当該自動販売機の識別子と、当該エリアに設置されている自動販売機の位置情報と、当該自動販売機最寄の避難場所の位置情報と、が対応づけられたテーブルが格納される。本実施形態のシステムの管理者が上述のテーブルをデータベース３１に格納する。
【００３８】
（４−２）地震発生エリアの自動販売機を抽出する機能
通知センターサーバ３０は、災害情報配信システム５０から災害メッセージ（具体的には、緊急地震速報）を受信する。通知センターサーバ３０は、受信した災害メッセージ（緊急地震速報）に含まれる所定の震度以上（例えば、震度４）の地域を地震発生エリアとして抽出する。所定の震度は、本実施形態のシステムの管理者によって通知センターサーバ３０に設定される。
【００３９】
通知センターサーバ３０は、地震発生エリアに設置されている自販機の位置情報と、当該自販機最寄の避難場所の位置情報と、当該自販機の識別子と、をデータベース３１のテーブルから抽出する。
【００４０】
通知センターサーバ３０は、抽出した自販機の位置情報、当該自販機最寄の避難場所の位置情報、及び当該自販機の識別子を対応づけて自身に備わる一時保存用メモリ（以下、「処理済メモリ」という）に記憶する。
【００４１】
（４−３）ルート検索機能
また、通知センターサーバ３０は、一般的なルート検索機能を備える。ルート検索機能は、現在地の位置情報と目的地の位置情報が入力されると、現在地から目的地に至るいくつかの道路（ルート）を周知のカーナビ経路探索技術により検索し、検索した各道路の情報を出力する機能である。出力される道路の情報は、一般的な道路リンクデータである。道路リンクデータは、道路の属性を示すデータであり、道路起点の位置情報（緯度・経度）と道路終点の位置情報（緯度・経度）を含む。
【００４２】
（４−４）自動販売機宛ての避難通知メッセージを作成する機能
通知センターサーバ３０は、処理済メモリに記憶した自販機の位置情報と避難場所の位置情報毎に、以下の（Ｉ）〜（ＩＩＩ）を行う。
【００４３】
（Ｉ）通知センターサーバ３０は、当該自販機の位置情報と避難場所の位置情報を、現在地の位置情報と目的地の位置情報として、周知のルート検索機能に入力し、当該自動販売機から避難場所に至る道路を検索させる。
【００４４】
周知のルート検索機能は、現在地から目的地に至る（自販機１から避難場所に至る）いくつかの道路の道路リンクデータを出力する。
【００４５】
（ＩＩ）通知センターサーバ３０は、検索された道路（出力された道路リンクの道路）に沿って当該自動販売機から避難場所に向かう方角（東西南北）を算出する。具体的な算出の方法は、後述の［動作の説明］で詳細を説明する。
【００４６】
（ＩＩＩ）通知センターサーバ３０は、算出した避難場所に向かう方角を示す情報と当該自販機の識別子を含む、当該自販機宛ての避難通知メッセージを作成する。当該自販機の識別子は、当該自販機の位置情報と対応づけて処理済メモリに記憶されている。
【００４７】
（４−５）避難通知メッセージを送信する機能
通知センターサーバ３０は、無線基地局２０より問い合わせメッセージを受信すると、当該問い合わせメッセージから自販機の識別子を抽出する。通知センターサーバ３０は、抽出した自販機の識別子を含む、当該自販機宛ての避難通知メッセージを無線基地局２０に送信する。
【００４８】
（５）災害情報配信システム５０の機能
災害情報配信システム５０は、気象庁気象業務支援センターに設置されている一般的なシステムであって、地震発生時、災害メッセージ（緊急地震速報）を通知センターサーバ３０に配信する。
【００４９】
［動作の説明］
図４、図５は、本発明の第１の実施の形態におけるシステムの動作を説明する為の図である。図６は、通知センターサーバ３０にて算出される道路リンクデータを説明する為の図である。図４〜６を用いて、本実施形態のシステムの動作を以下に説明する。
【００５０】
（１）緊急地震速報を受信時の通知センターサーバ３０の動作
まず、地震が発生したとき、災害情報配信システム５０が、災害メッセージ（緊急地震速報）を通知センターサーバ３０に配信したとする。緊急地震速報には、地域名とその地域での最大予測震度が含まれているが、以下、その地域名が東京であり、最大予測震度が震度６弱であったものとして説明を続ける。
【００５１】
通知センターサーバ３０は、受信した緊急地震速報に含まれる最大予想震度が所定の震度（震度４）以上の地域（東京）を、図４に示されるように、地震発生エリアとして抽出する（Ｓ１）。
【００５２】
次に、通知センターサーバ３０は、地震発生エリア（東京）に設置されている自販機の位置情報と、当該自販機最寄の避難場所の位置情報と、当該自販機の識別子と、をデータベース３１に格納されているテーブルから抽出する（Ｓ２）。
【００５３】
データベース３１に格納されているテーブルは、図３に示されるテーブルである。その為、通知センターサーバ３０は、東京に設置されている自販機１の位置情報、自販機１最寄の避難場所の位置情報、及び自販機１の識別子を抽出し、さらに、自販機２の位置情報、自販機２最寄の避難場所の位置情報、及び自販機２の識別子を抽出する。各位置情報は、緯度と経度で表わされる。
【００５４】
次に、通知センターサーバ３０は、Ｓ２で抽出した自販機の位置情報、当該自販機最寄の避難場所の位置情報、及び当該自販機の識別子を対応づけて自身に備わる一時保存用メモリ（すなわち、処理済メモリ）に記憶する（Ｓ３）。
【００５５】
次に、通知センターサーバ３０は、処理済メモリに対応づけて記憶される各情報（自販機の位置情報、避難場所の位置情報、及び自販機の識別子）のうち、１組を任意に選択する（Ｓ４）。
【００５６】
以下、自販機１の位置情報、避難場所の位置情報、自販機１の識別子を選択したものとして説明を続ける。
【００５７】
次に、通知センターサーバ３０は、選択した自販機１の位置情報と避難場所の位置情報を基に、自身に備わるルート検索機能を用いて、当該自販機１から自販機１最寄の避難場所に至る道路（ルート）を検索する（Ｓ５）。
【００５８】
具体的には、通知センターサーバ３０は、選択した自販機１の位置情報及び自販機１最寄の避難場所の位置情報を、現在地の位置情報と目的地の位置情報として、ルート検索機能に入力し、自販機１から自販機１最寄の避難場所に至る道路情報を出力させる。
【００５９】
道路情報は、自販機１から避難場所に至るいくつかの道路（例えば、道路Ａ、Ｂ、Ｃ）の道路リンクデータである。各道路の道路リンクデータは、図６に示されるように、当該道路起点の位置情報（緯度・経度）と道路終点の位置情報（緯度・経度）を含むデータである。
【００６０】
次に、通知センターサーバ３０は、検索した道路に沿って自販機１から避難場所に向かう方角（東西南北）を算出する（Ｓ６）。
【００６１】
具体的には、通知センターサーバ３０は、以下の（ｉ）〜（ｉｉ）の処理を行う。
【００６２】
（ｉ）まず、通知センターサーバ３０は、出力された各道路の道路リンクデータのうち、自販機１最寄の道路（例えば道路Ａ）の道路リンクデータを求める。通知センターサーバ３０は、自販機１最寄の道路（例えば道路Ａ）の道路リンクデータとして、自販機１の位置情報（緯度・経度）に最も近い道路起点の位置情報（緯度・経度）を含む道路リンクデータを求めてもよい。
【００６３】
（ｉｉ）次に、通知センターサーバ３０は、求めた道路リンクデータに含まれる道路起点の位置情報（緯度・経度）と道路終点の位置情報（緯度・経度）を基に、道路始点から道路終点に向かう方角（東西南北）を求める。
【００６４】
具体的には、通知センターサーバ３０は、以下の式１により方角（東西南北）を求める。以下の式１は、道路起点と道路終点の２点間の角度を求め、角度に応じて方角を決定するものである。式１の角度θを求める式は、球面三角法を用いて算出される周知の式であり、２点間の方位角を求めるものとして一般的に知られている。式１では、道路起点の位置情報（緯度・経度）を（緯度β１・経度α１）と表し、道路終点の位置情報（緯度・経度）を（緯度β２・経度α２）と表している。
2016153927.tif 000003
【００６５】
なお、通知センターサーバ３０は、以下の式２によって上述の方角（東西南北）を求めてもよい。式２は、道路起点と道路終点の２点間の差を緯度と経度毎に求め、それらの正負及び大きさの比較により方角（東西南北）を決定するものである。
2016153927.tif 000004
【００６６】
次に、通知センターサーバ３０は、算出した避難場所に向かう方角を示す情報を含む、当該自販機１宛ての避難通知メッセージを作成し、自身に備わるメモリ（以下、「メッセージ記憶メモリ」という）に記憶する（Ｓ７）。
【００６７】
なお、通知センターサーバ３０は、自販機１宛ての避難通知メッセージに、（Ｓ４で選択した）自販機１の識別子も含める。後述のＳ１２で、自販機１宛ての避難通知メッセージを処理済メモリから抽出できるようにする為である。
【００６８】
次に、通知センターサーバ３０は、処理済メモリから、Ｓ４で選択した自販機の位置情報と、対応する避難場所の位置情報及び当該自販機の識別子を削除する（Ｓ８）。
【００６９】
次に、通知センターサーバ３０は、処理済メモリに他に自販機の位置情報があるか否かを判別する（Ｓ９）。
【００７０】
通知センターサーバ３０は、処理済メモリに他に自販機の位置情報が記憶されている場合（Ｓ９でＹｅｓの場合）、Ｓ４に戻り、再度、上述のＳ５〜Ｓ８を実施する。
【００７１】
処理済メモリには、自販機２の位置情報が記憶されているので、通知センターサーバ３０は、Ｓ４に戻り、再度、上述のＳ４〜Ｓ８を実施し、自販機２から避難場所に向かう方角を算出する。記憶メモリには、自販機２から避難場所に向かう方角を示す情報を含む、自販機２宛ての避難通知メッセージが記憶される。
【００７２】
なお、通知センターサーバ３０は、処理済メモリに他に自販機の位置情報がない場合（Ｓ９でＮｏの場合）には、次にメッセージを受信するのを待つ。
【００７３】
（２）自販機１、２の動作
以下、自販機１、２の動作について説明を行うが、同じ動作である為、代表して自販機１の動作について説明を行う。
【００７４】
自販機１は、所定のタイミングになると、通知センターサーバ３０に自身宛てのメッセージがあるか問い合わせを行う（Ｓ１０）。
【００７５】
具体的には、自販機１は、所定のタイミングになると、自身の識別子を含む、問い合わせメッセージを、無線基地局２０を介して通知センターサーバ３０に送信する。所定のタイミングは、一定間隔毎のタイミングであり、本実施形態のシステムの管理者によって予め自販機１に設定される。
【００７６】
通知センターサーバ３０は、自販機１より受信した問い合わせメッセージから自販機１の識別子を抽出する（Ｓ１１）。
【００７７】
次に、通知センターサーバ３０は、抽出した自販機１の識別子を含む自販機１宛ての避難通知メッセージをメッセージ記憶メモリから取得し、無線基地局２０を介して自販機１に送信する（Ｓ１２）。
【００７８】
次に、自販機１は、受信した自分宛ての避難通知メッセージから避難場所に向かう方角（東西南北）を示す情報を抽出し、抽出した方角（東西南北）を示す情報から避難場所に向かう方向（左右上下）を算出する（Ｓ１３）。
【００７９】
具体的には、自販機１は、図２の対応表から、抽出した方角（東西南北）を示す情報とディスプレイ１１の向き（東西南北）を示す情報に対応する、避難場所に向かう方向（左右上下）を示す情報を求める。
【００８０】
次に、自販機１は、求めた情報（避難場所に向かう方向（左右上下）を示す情報）に対応する矢印（←→↑↓）をディスプレイ１１に表示する（Ｓ１４）。表示された矢印は、避難場所に向かう方向を示す矢印である。
【００８１】
自販機２も同様に、上述のＳ１０〜Ｓ１４を実施し、避難場所に向かう方向を示す矢印（←→↑↓）をディスプレイ２１に表示する。
【００８２】
地震発生エリアの被災者は、土地勘がなくても、近くの自販機の示す矢印の方向に動き、最寄の避難所に向けて速やかに避難行動を行うことができる。
【００８３】
なお、本実施形態のシステムに備わる自販機は、自販機１、２の２台に限らない。本実施形態のシステムは、３台以上の自販機を備えてもよい。その場合、各自販機の動作は自販機１、２と同じである。
【００８４】
（３）災害発生前に、避難場所に向かう方角を自販機に通知しておく動作例
（３−１）概要
通知センターサーバ３０は、災害（地震）が発生する前から、避難場所に向かう方角を算出し、当該方角を示す情報を自販機１、２に通知してもよい。地震が発生したとき、自販機１、２は、事前に通知されていた方角を示す情報に基づいて避難場所への矢印を表示する。
【００８５】
通知センターサーバ３０は、災害（地震）発生時、方角を示す情報を送信せず、通信トラヒックの増加を抑える。通知センターサーバ３０や自販機１、２は、具体的には、以下の通りに動作する。
【００８６】
（３−２）具体的動作
（３−２−１）地震発生前の動作
まず、通知センターサーバ３０は、所定のタイミングになると、データベース３１から、自販機の位置情報と、当該自販機最寄の避難場所の位置情報と、当該自販機の識別子と、を全て取得する。
【００８７】
所定のタイミングは、一定間隔毎のタイミングで、本実施形態のシステムの管理者によって通知センターサーバ３０に設定される。本実施形態のシステムの管理者は、例えば、所定のタイミングとして、毎月１日の午前２時を通知センターサーバ３０に設定してもよい。
【００８８】
次に、通知センターサーバ３０は、Ｓ３〜Ｓ９を実施する。但し、通知センターサーバ３０は、Ｓ７において、避難通知メッセージを事前通知メッセージと読み替えて実施する。その結果、メッセージ記憶メモリには、避難場所への方角を示す情報を含む、各自販機宛ての事前通知メッセージが記憶される。なお、通知センターサーバ３０は、事前通知メッセージを、メッセージ記憶メモリ以外のメモリ（以下、「メッセージ保存メモリ」という）にコピーしておく。
【００８９】
メッセージ記憶メモリに記憶された事前通知メッセージは、Ｓ１０〜Ｓ１２によって各自販機に送信される。各自販機は、受信した事前通知メッセージに含まれる、方角を示す情報を記憶する。
【００９０】
（３−２−２）地震発生後の動作
その後、地震が発生したとき、通知センターサーバ３０は、災害メッセージ（緊急地震速報）を受信する。
【００９１】
通知センターサーバ３０は、災害メッセージ（緊急地震速報）を受信したとき、地震発生エリアの自販機に地震発生を通知する。
【００９２】
具体的には、通知センターサーバ３０は、まず、Ｓ１、Ｓ２を実施して、地震発生エリアの自販機の識別子を取得する。次に、通知センターサーバ３０は、取得した識別子を含む事前通知メッセージをメッセージ保存メモリから抽出し、抽出した事前通知メッセージから方角を示す情報を削除した上で、避難通知メッセージとしてメッセージ記憶メモリに記憶する。メッセージ記憶メモリに記憶された避難通知メッセージは、Ｓ１０〜Ｓ１２によって各自販機に送信される。
【００９３】
自販機は、避難通知メッセージを受信すると、地震発生を通知されたものとして、事前に記憶していた方角を示す情報を基に、避難場所に向かう方向をＳ１３と同様に求め、Ｓ１４を実施して避難場所に向かう方向を示す矢印（←→↑↓）を表示する。
【００９４】
（４）問い合わせメッセージを介さない動作例
通知センターサーバ３０と自販機１、２は、問い合わせメッセージを介さず、避難通知メッセージを送受信することができる。すなわち、通知センターサーバ３０は、Ｓ７において避難通知メッセージを作成すると、作成した避難通知メッセージを各自販機に送信する。各自販機１、２は、避難通知メッセージを受信するとＳ１３、Ｓ１４を実施する。自販機１、２は、Ｓ１０（すなわち、問い合わせメッセージを送信する処理）を実施しない。
【００９５】
（５）災害メッセージについて
上記では、災害メッセージが緊急地震速報である場合を説明したが、災害メッセージは津波警報であってもよい。その場合、通知センターサーバ３０は、上述のＳ１において、受信した津波警報に含まれる津波グレード値が所定の津波グレード値以上の地域を災害発生エリアとして抽出する。また、通知センターサーバ３０は、Ｓ２以降、地震発生エリアを災害発生エリアと読み替えて処理を行う。
【００９６】
［効果の説明］
本実施形態によれば、災害が発生した時、土地勘のない人でも、速やかに避難行動を行うことができる。
【００９７】
なぜならば、本実施形態のシステムでは、サーバが、災害発生エリアの各自販機に対し、当該自販機から避難場所に向かう方角を通知し、自販機が、通知された方角を基に、避難場所に向かう方向を矢印で表示するからである。土地勘のない人であっても、矢印の方向に進めばよいので、速やかに避難行動を行うことができる。
【００９８】
≪第２の実施の形態≫
次に、本発明の第２の実施の形態について説明する。
【００９９】
第２の実施形態のシステムにおける自販機は、通知センターサーバ３０に問い合わせを行っても、災害により基地局がダウンしたことにより応答が得られない場合、当該自販機の周辺が通信不可状態であることをディスプレイに表示する。
【０１００】
以下に、第２の実施の形態のシステムの構成と動作について説明する。図７は、本発明の第２の実施の形態におけるシステムの構成例を示す図である。
【０１０１】
［構成の説明］
（１）第２の実施形態のシステムの構成
第２の実施形態のシステムは、図７に示されるように、自販機１、２の代わりに、自販機５、６を備える。自販機５、６は、無線回線を介して無線基地局２０と接続される。
【０１０２】
（２）自販機５、６の機能
自販機５、６は同じ機能を備えるので、代表して自販機５の機能について説明を行う。
【０１０３】
（２−１）計時機能
自販機５は、計時機能を備える。自販機５は、問い合わせメッセージを送信すると、計時機能により時間の計測を行う。
【０１０４】
（２−２）メッセージ受信機能
自販機５は、問い合わせメッセージを送信した後、避難通知メッセージを受信すると、メッセージ受信を示す値（以下、「受信フラグ」という）を１とする。すなわち、自販機５は、問い合わせメッセージの応答として避難通知メッセージを受信したときには、受信フラグ」という）を１とする。本機能は、他の機能よりも最も優先して実施される。受信フラグの初期値は０である。
【０１０５】
（２−３）所定時間以上、応答がないか否かの判別
自販機５は、問い合わせメッセージを送信した後、計時機能により計測される時間が所定の時間以内か否かを判別する。
【０１０６】
自販機５は、計時機能により計測される時間が所定の時間以内であるときには、応答として避難通知メッセージを受信できているのか否か、すなわち、受信フラグが１か否かを判別する。
【０１０７】
（２−４）応答（避難通知メッセージ）を受信できている場合の処理
自販機５は、受信フラグが１である場合には、応答（避難通知メッセージ）を受信できているので、自販機１、２と同様、避難場所に向かう方向を算出する。その際、自販機５は、算出した避難場所に向かう方向（左右上下）を示す情報をメモリに記憶する。
【０１０８】
自販機５は、受信フラグを初期値０とした上で、計時機能による時間の計測を停止し、次に問い合わせメッセージを送信するタイミングを待つ。
【０１０９】
一方、自販機５は、受信フラグが１でないときには、まだ応答（避難通知メッセージ）を受信できていないので、再度、計測される時間が所定の時間を超えたか否かを判別して、応答（避難通知メッセージ）を受信するのを待つ。
【０１１０】
（２−５）所定時間以上、応答（避難通知メッセージ）を受信できていない場合の処理
自販機５は、計時機能により計測される時間が所定の時間を超えた場合には、所定時間、避難通知メッセージを得られていないので、それが無線基地局２０ダウンによるものなのか否かを判別する。具体的には、自販機５は、報知信号を受信できているのか否かを判別する。
【０１１１】
報知信号は、無線基地局２０から繰り返し送信される、３ＧＰＰに規定される信号である。自販機５は、３ＧＰＰに準拠する無線通信機能によって、繰り返し送信される報知信号を受信する。自販機５は、報知信号が受信できない場合には、３ＧＰＰに規定される所定の報知データが得られないので、その場合に、報知信号が受信できていないと判別する。
【０１１２】
自販機５は、報知信号を受信できていない場合には、無線基地局２０がダウンしており、「本自販機の周辺は、基地局ダウンの為、無線通信できません。」とディスプレイ１１に表示する。さらに、自販機５は、直近にメモリに記憶した、避難場所に向かう方向（左右上下）を示す情報を読み出し、当該情報に対応する矢印（←→↑↓）をディスプレイ１１に表示する。表示される矢印は、避難場所に向かう矢印である。
【０１１３】
自販機５は、無線基地局２０から報知信号を受信できている場合には、無線基地局２０がダウンしていないので、何も表示せず、受信フラグを初期値０とした上で、計時機能による時間の計測を停止し、次に問い合わせメッセージを送信するタイミングを待つ。
【０１１４】
上述した以外の構成や機能は、第１の実施の形態におけるシステムと同じであるので、同一の符号を付して説明を省略する。
【０１１５】
[動作の説明]
次に、本実施形態のシステムの動作（自販機の動作）を説明する。図８は、本発明の第２の実施の形態におけるシステムの動作（システムに備わる自販機５の動作）を説明する為の図である。
【０１１６】
まず、自販機５は、問い合わせメッセージを送信すると、計時機能により時間の計測を開始する（Ｓ２０）。
【０１１７】
次に、自販機５は、計時機能により計測される時間が所定の時間以内か否かを判別する（Ｓ２１）。
【０１１８】
次に、自販機５は、計測される時間が所定の時間以内である場合（Ｓ２１でＹｅｓの場合）、受信フラグが１か否かを判別する（Ｓ２２）。
【０１１９】
Ｓ２２は、問い合わせメッセージに対する応答（避難通知メッセージ）が受信できているかを判別している。
【０１２０】
以下、自販機５は、通知センターサーバ３０と通信でき、応答（避難通知メッセージ）が受信できており、受信フラグが１であったものとして説明を続ける。
【０１２１】
自販機５は、受信フラグが１である場合（Ｓ２２でＹｅｓの場合）には、第１の実施形態の自販機１、２と同様、避難場所に向かう方向を算出し（Ｓ１３）、その方向を示す矢印を表示する（Ｓ１４）。
【０１２２】
次に、自販機５は、算出した避難場所に向かう方向（左右上下）を示す情報をメモリに記憶する（Ｓ２３）。
【０１２３】
次に、自販機５は、受信フラグを初期値０とした上で、計時機能による時間の計測を停止（Ｓ２４）し、次に問い合わせメッセージを送信するタイミングを待つ。
【０１２４】
その後、災害により無線基地局２０がダウンしたとする。無線基地局２０は何も送信しない。
【０１２５】
自販機５は、問い合わせメッセージを送信（Ｓ１０）し、Ｓ２０〜Ｓ２２を実施するが、無線基地局２０がダウンしているので、避難通知メッセージが受信されず、受信フラグが１とならない。
【０１２６】
自販機５は、受信フラグが１とならない場合（Ｓ２２でＮｏの場合）には、再度、Ｓ２１、Ｓ２２の処理を繰り返す。しかし、避難通知メッセージが受信されないので、Ｓ２０〜Ｓ２２が繰り返され、やがて計時機能にて計測される時間が所定の時間を超える。
【０１２７】
自販機５は、Ｓ２１で、計測される時間が所定の時間を超えた場合（Ｓ２１でＮｏの場合）には、無線基地局２０ダウンによるものなのか否かを判別する（Ｓ２５）。
【０１２８】
具体的には、自販機５は、無線基地局２０から報知信号を受信できているのか否かを判別する。
【０１２９】
自販機５は、無線基地局２０から報知信号を受信できていない場合（Ｓ２５でＮｏの場合）には、無線基地局２０がダウンしたとみなし、「本自販機の周辺は、基地局ダウンの為、無線通信できません。」とディスプレイ１１に表示する（Ｓ２６）。
【０１３０】
次に、自販機５は、Ｓ２３で直近に記憶した、避難場所に向かう方向（左右上下）を示す情報をメモリから読み出し、当該情報に対応する矢印（←→↑↓）をディスプレイ１１に表示する（Ｓ２７）。
【０１３１】
次に、自販機５は、受信フラグを初期値０とした上で、計時機能による時間の計測を停止（Ｓ２４）し、次に問い合わせメッセージを送信するタイミングを待つ。
【０１３２】
なお、無線基地局２０から報知信号を受信できている場合（Ｓ２５でＹｅｓの場合）にも、自販機５は、受信フラグを初期値０とした上で、計時機能による時間の計測を停止（Ｓ２４）し、次に問い合わせメッセージを送信するタイミングを待つ。
【０１３３】
自販機６も自販機５と同じ動作を行う。
【０１３４】
その他の動作については、第１の実施の形態の動作と同様である為、詳細の説明を省略する。
【０１３５】
［効果の説明］
本実施形態の自販機５、６は、当該自販機の周辺が災害により通信不可状態であることを周辺の人に知らせることができる。自販機周辺の人々は、（通信不可状態なのに、自身の持つ端末が無駄に通信先無線基地局のサーチを行わないよう）自身の持つ端末の電源を切り、端末のバッテリーの消費を抑えることができる。
【０１３６】
通信不可状態を知らせることができる理由としては、自販機５、６が、基地局から通常繰り返し送信されている報知信号を確認し、確認できないときには、通信不可状態であることをディスプレイに表示するからである。
【０１３７】
≪第３の実施の形態≫
本実施形態のシステムは、災害発生エリアの自販機各々について、当該自販機から避難場所に至るまでに設置されている他の自販機の数（自販機の密度）を算出し、算出した数が一定以下であるかを判別する。本実施形態のシステムは、算出した数が一定以下である自販機については、当該自販機の位置と避難場所を示した地図を表示させる。本実施形態のシステムは、各自販機に避難場所を示した地図を表示させることで、自販機が少ない地域であっても被災者を避難場所に避難させることができる。
【０１３８】
なお、本実施形態のシステムは、設置密度が一定以上の場合には、第１の実施形態のシステムと同様、避難場所に向かう矢印を表示する。
【０１３９】
以下に、第３の実施の形態のシステムの構成と動作について説明する。図９は、本発明の第３の実施の形態におけるシステムの構成例を示す図である。
【０１４０】
［構成の説明］
（１）第３の実施形態のシステムの構成
第３の実施形態のシステムは、図９に示されるように、通知センターサーバ３０と自販機１、２の代わりに通知センターサーバ６０と自販機７を備える。自販機７は、ディスプレイ１１の代わりにディスプレイ７１を備える。
【０１４１】
（２）通知センターサーバ６０の機能
通知センターサーバ６０は、処理済メモリから選択した自販機の位置情報と避難場所の位置情報毎に、当該自販機から最寄の避難場所に至るまでに設置されている自販機の数（自販機の設置密度）を算出する。具体的な算出方法は、後述の[動作の説明]で詳細に説明する。
【０１４２】
さらに、通知センターサーバ６０は、算出した自販機の数が一定数以下か否かを判別する。
【０１４３】
通知センターサーバ６０は、算出した数が一定数以下である場合には、選択した自販機の位置情報及び最寄の避難場所の位置情報を含む、当該自販機宛ての避難通知メッセージを作成する。また、通知センターサーバ６０は、作成した避難通知メッセージに地図表示を示す数値（例えば２５００）を含める。
【０１４４】
通知センターサーバ６０は、算出した数が一定数より多い場合には、通知センターサーバ３０と同様、避難場所に向かう方角を算出し、当該方角を示す情報を含む避難通知メッセージを作成する。
【０１４５】
（３）自販機７の機能
自販機７は、受信した自分宛ての避難通知メッセージに、地図表示を示す数値（例えば、２５００）が含まれるか否かを判別する。
【０１４６】
自販機７は、地図表示を示す数値が含まれている場合には、受信した避難通知メッセージから自身の位置情報及び最寄の避難場所の位置情報を抽出する。自販機７は、地図を表示する。表示した地図は、緯度・経度が対応づけられた地図であり、本実施形態のシステムの管理者によって自販機７に予め格納されている。自販機７は、自身の位置情報（緯度・経度）に対応する地図上の位置に「現在地」と表示し、避難場所の位置情報（緯度・経度）に対応する地図上の位置に「避難場所」と表示する。
【０１４７】
上述した以外の構成や機能は、第１の実施の形態におけるシステムと同じであるので、同一の符号を付して説明を省略する。
【０１４８】
[動作の説明]
次に、本実施形態のシステムの動作を説明する。図１０、図１１は、本発明の第３の実施の形態におけるシステムの動作を説明する為の図である。
【０１４９】
（１）通知センターサーバ６０の動作
まず、通知センターサーバ６０は、図１０に示されるように、Ｓ１〜Ｓ３を実施し、災害発生エリアに設置されている自販機の位置情報、最寄の避難場所の位置情報、及び当該自販機の識別子を対応づけて処理済メモリに記憶する（Ｓ１〜３）。
【０１５０】
次に、通知センターサーバ６０は、Ｓ４を実施し、処理済メモリに対応づけて記憶される各情報（自販機の位置情報、避難場所の位置情報、及び自販機の識別子）のうち、１組を任意に選択する（Ｓ４）。
【０１５１】
以下、自販機７の位置情報、避難場所の位置情報、自販機７の識別子を選択したものとして説明を続ける。
【０１５２】
次に、通知センターサーバ６０は、選択した位置情報の自販機７から最寄の避難場所に至るまでの間に設置されている自販機の数（自販機の設置密度）を算出する（Ｓ３０）。
【０１５３】
具体的には、通知センターサーバ６０は、処理済メモリに記憶する各自販機の位置情報のうち、自販機７と避難場所の間に位置する位置情報の数を、自販機の設置密度として算出する。その為に、通知センターサーバ６０は、自販機７と避難場所の中間地点の位置情報（緯度・経度）を求め、処理済メモリに記憶する自販機の位置情報（緯度・経度）のうち、求めた中間地点の位置情報（緯度・経度）から所定距離内の位置情報の数を算出してもよい。所定距離は、本実施形態のシステムの管理者によって通知センターサーバ６０に設定される。
【０１５４】
なお、上述の自販機の設置密度の算出方法は一例に過ぎない。他の方法で自販機の設置密度を算出してもよい。例えば、通知センターサーバ６０は、処理済メモリに記憶する自販機の位置情報（緯度・経度）のうち、自販機７の位置と避難場所を結ぶ直線から所定距離以内の位置情報（緯度・経度）の数を、自販機の設置密度として算出してもよい。所定距離は、本実施形態のシステムの管理者によって通知センターサーバ６０に設定される。
【０１５５】
上述のＳ３０の後、次に、通知センターサーバ６０は、算出した自販機の数（自販機の設置密度）が一定数以下か否かを判別する（Ｓ３１）。
【０１５６】
一定数は、自販機７と避難場所間の距離に応じて異なる値であってもよい。例えば、距離が０〜３０ｍならば一定数は値２、距離が３０〜１００ｍならば一定数は値７、距離が１００ｍ以上ならば一定数は値１５であってもよい。自販機７と避難場所間の距離は、Ｓ４で抽出した自販機７の位置情報と避難場所の位置情報を基に、周知のヒュベニの公式を用いて算出することができる。
【０１５７】
以下、通知センターサーバ６０が、算出した自販機の数（自販機の設置密度）が一定数以下と判別したものとして説明を続ける。
【０１５８】
通知センターサーバ６０は、算出した自販機の数が一定数以下の場合（Ｓ３１でＹｅｓの場合）、Ｓ４で選択した自販機７の位置情報と最寄の避難場所の位置情報を含む、当該自販機７宛ての避難通知メッセージを作成し、メッセージ記憶メモリに記憶する（Ｓ３２）。
【０１５９】
また、通知センターサーバ６０は、地図表示を示す数値（例えば２５００）と自販機７の識別子も自動機７宛ての避難通知メッセージに含める。
【０１６０】
なお、自販機の数が一定数より多いと判別した場合（Ｓ３１でＮｏの場合）には、通知センターサーバ６０は、第１の実施形態の通知センターサーバ３０と同様、Ｓ５〜Ｓ７を実施する（Ｓ５〜Ｓ７）。
【０１６１】
次に、通知センターサーバ６０は、Ｓ８を実施し、Ｓ４で選択した自販機７の位置情報と、対応する避難場所の位置情報及び当該自販機７の識別子を処理済メモリから削除する（Ｓ８）。
【０１６２】
次に、通知センターサーバ６０は、Ｓ９を実施し、処理済メモリに他に自販機の位置情報があるか否かを判別する（Ｓ９）。
【０１６３】
通知センターサーバ６０は、処理済メモリに他に自販機の位置情報がある場合（Ｓ９でＹｅｓの場合）、Ｓ４に戻り、任意の自販機の位置情報について、再度、上述のＳ４、Ｓ３０〜Ｓ３２、若しくはＳ５〜Ｓ７、Ｓ８〜Ｓ９を実施する。
【０１６４】
以下、通知センターサーバ６０のメッセージ記憶メモリには、自販機７の位置情報、避難場所の位置情報、地図表示を示す数値を含む、自販機７の宛ての避難通知メッセージが格納されたものとして説明を続ける。
【０１６５】
（２）自販機７の動作
自販機７は、図１１に示されるように、所定のタイミングになると、問い合わせメッセージを通知センターサーバ６０に送信（Ｓ１０）し、通知センターサーバ６０から自分宛ての避難通知メッセージを受信したとする。
【０１６６】
上述の所定のタイミングは、自販機１、２と同様、一定間隔毎のタイミングである。一定間隔は、３〜３０秒程度が望ましい。一定間隔が短いと、通知センターサーバ６０に頻繁に問い合わせを行うこととなり、逆に一定間隔が長いと、以下のＳ４０〜Ｓ４２の表示動作が遅くなるからである。
【０１６７】
自販機７は、通知センターサーバ６０から避難通知メッセージを受信すると、受信した避難通知メッセージに、地図表示を示す数値が含まれるか否かを判別する（Ｓ４０）。
【０１６８】
上述のＳ３２で説明した通り、受信した自販機７宛ての避難通知メッセージには地図表示を示す数値（例えば、２５００）が含まれている。
【０１６９】
自販機７は、受信した避難通知メッセージに、地図表示を示す数値が含まれている場合（Ｓ４０でＹｅｓの場合）には、当該避難通知メッセージから自身の位置情報及び最寄の避難場所の位置情報を抽出する（Ｓ４１）。
【０１７０】
自販機７は、ディスプレイ７１に地図を表示し、Ｓ４１で抽出した自身の位置情報（緯度・経度）に対応する地図上の位置に「現在地」と表示し、Ｓ４１で抽出した避難場所の位置情報（緯度・経度）に対応する地図上の位置に「避難場所」と表示する（Ｓ４２）。
【０１７１】
被災者は、地図を確認することで、避難場所に避難することができる。本実施形態のシステムは、自販機が少ない地域であっても被災者を避難場所に避難させることができる。
【０１７２】
なお、自販機７は、地図表示を示す数値が含まれていない場合（Ｓ４０でＮｏの場合）には、図１１に示されるように、自販機１と同様、Ｓ１３、Ｓ１４を実施し、避難場所への方向を示す矢印をディスプレイ７１に表示する。
【０１７３】
その他の動作については、第１の実施の形態の動作と同様である為、詳細の説明を省略する。
【０１７４】
［効果の説明］
本実施形態のシステムは、自販機が少ない地域であっても被災者を避難場所に避難させることができる。
【０１７５】
なぜなら、本実施形態のシステムは、災害発生エリアの自販機各々について、当該自販機と避難場所間の自販機の数（自販機の密度）を算出し、算出した設置密度が一定以下である場合には、自販機と避難場所の位置を示した地図を自販機に表示させるからである。
【０１７６】
≪第４の実施の形態≫
第４の実施形態のシステムは、被災者の安否確認を行う為のシステムである。
【０１７７】
本実施形態のシステムの各自販機は、ＩＣ（Ｉｎｔｅｇｒａｔｅｄ  Ｃｉｒｃｕｉｔ）カードリーダを備え、ＩＣカードリーダにかざされたＩＣカードから読み取った情報（ＩＣカード利用者の名前）をサーバに登録する。
【０１７８】
本実施形態のシステムの各自販機は、ＩＣカード利用者の家族等によって入力された情報（ＩＣカード利用者の名前）をサーバに送信し、サーバは、当該情報が自身に登録されているのか検索する。サーバは、情報が登録されているときには、登録されている情報（ＩＣカード利用者の名前）を生存者情報として、該情報を送信してきた自販機に表示させる。自販機に情報を入力した者（家族）は、ＩＣカード利用者が生存していることを知ることができる。一方、サーバは、情報が登録されていなかったときは、生存不明であることを自販機に表示させる。
【０１７９】
以下に、第４の実施の形態のシステムの構成と動作について説明する。図１２は、本発明の第４の実施の形態におけるシステムの構成例を示す図である。
【０１８０】
［構成の説明］
（１）第４の実施形態のシステムの構成
第４の実施形態のシステムは、図１２に示されるように、通知センターサーバ３０の代わりに、通知センターサーバ８０を備える。通知センターサーバ８０は、データベース３１の代わりに、データベース８１を備える。
【０１８１】
さらに、第４の実施形態のシステムは、自販機１、２の代わりに、自販機９、１０を備える。自販機９、１０は、ディスプレイ１１、２１の代わりに、ディスプレイ９１、１０１を備える。さらに、自販機９、１０は、一般的なキーボード９２、１０２と、一般的なＩＣ（Ｉｎｔｅｇｒａｔｅｄ  Ｃｉｒｃｕｉｔ）カードリーダ９３、１０３と、一般的なカメラ９４、１０４と、を備える。
【０１８２】
（２）ＩＣカードリーダ９３、１０３について
ＩＣカードリーダ９３、１０３は、ＮＦＣ（Ｎｅａｒ  Ｆｉｅｌｄ  Ｃｏｍｍｕｎｉｃａｔｉｏｎ）対応機器であり、ＩＣカードがかざされると、当該ＩＣカードから個人情報を読み取る。ＩＣカードには、個人情報として、該ＩＣカードを持つ者の名前が記憶されている。
【０１８３】
上述した以外の構成は、第１の実施の形態におけるシステムと同じであるので、同一の符号を付して説明を省略する。
【０１８４】
[動作の説明]
図１３〜図１５は、本実施形態のシステムの動作を説明する為の図である。本実施形態のシステムの動作について説明する。
【０１８５】
（１）安否情報登録動作
（１−１）自販機９、１０の動作
まず、自販機９、１０は、災害（地震や津波）が発生し、通知センターサーバ８０から避難通知メッセージを受信すると、自販機１、２と同様、Ｓ１３、Ｓ１４を実施する。
【０１８６】
自販機９、１０は、Ｓ１４を実施したときには、図１３の左図に示されるように、自身に備わるＩＣカードリーダ９３、１０３とカメラ９４、１０４を起動する（Ｓ５０）。
【０１８７】
ＩＣカードリーダ９３、１０３は、起動後、自身に備わるＬＥＤ（Ｌｉｇｈｔ  Ｅｍｉｔｔｉｎｇ  Ｄｉｏｄｅ）を点灯させてもよい。これにより起動していることを周囲に知らせることができる。
【０１８８】
その後、ＩＣカードを持つ利用者（以下、「利用者甲」という）が、自身の安否登録を行う為、自販機９のＩＣカードリーダ９３にＩＣカードをかざしたとする。ＩＣカードには、利用者甲の個人情報（具体的には、甲の名前）が記憶されている。
【０１８９】
自販機９のＩＣカードリーダ９３は、かざされたＩＣカードから、図１３の中図に示されるように、利用者甲の個人情報（甲の名前）を読み取る（Ｓ５１）。
【０１９０】
自販機９は、ＩＣカードリーダ９３によって読み取った個人情報（甲の名前）を、安否登録や確認を行う為のメッセージ（以下、「登録操作メッセージ」という）に含めて通知センターサーバ８０に送信する（Ｓ５２）。
【０１９１】
なお、送信される登録操作メッセージには、自販機９を示す識別子と、操作種別として登録操作を示す値１と、が自販機９によって含められる。
【０１９２】
自販機１０も、ＩＣカードリーダ１０３にＩＣカードをかざされたときには、Ｓ５１、Ｓ５２の処理を行う。
【０１９３】
（１−２）通知センターサーバ８０の動作
次に、通知センターサーバ８０は、自販機９から登録操作メッセージを受信すると、図１４に示されるように、受信した登録操作メッセージに登録を示す値１が含まれるか否かを判別する（Ｓ５３）。
【０１９４】
受信した登録操作メッセージには、操作種別として、登録を示す値１が含まれる。
【０１９５】
通知センターサーバ８０は、登録を示す値１が含まれる場合（Ｓ５３でＹｅｓの場合）、受信した登録操作メッセージから個人情報（甲の名前）と自販機９の識別子を抽出する（Ｓ５４）。
【０１９６】
通知センターサーバ８０は、抽出した自販機９の識別子に対応する自販機９の位置情報を、データベース８１（図３のテーブル）から取得し、Ｓ５４で抽出した個人情報や自販機９の識別子と対応づけてデータベース８１に登録する（Ｓ５４）。
【０１９７】
データベース８１には、個人情報（甲の名前）、自販機９の位置情報、及び自販機９の識別子が対応づけて登録される。自販機９の位置情報は、甲が自身の情報を登録した自販機の位置情報である。
通知センターサーバ８０は、登録操作メッセージを受信する度に、Ｓ５３、Ｓ５４を実施する。
【０１９８】
（２）安否確認動作
（２−１）自販機１０の動作
その後、利用者甲の母親乙が子供である甲の安否を心配して、近隣の自販機１０から利用者甲を特定する情報（甲の名前）を、自販機１０のキーボード１０２を介して入力したとする。
【０１９９】
自販機１０は、図１３の右図に示されるように、キーボード１０２を介して入力された甲を特定する情報（以下、「入力情報」という）を登録操作メッセージに含めて通知センターサーバ８０に送信する（Ｓ６０）。なお、自販機１０は、自販機１０を示す識別子、及び操作種別として検索操作を示す値２も登録操作メッセージに含めて送信する。
【０２００】
（２−２）通知センターサーバ８０の検索動作
次に、通知センターサーバ８０は、図１４に示されるように、受信した登録操作メッセージに登録を示す値１が含まれるか否かを判別する（Ｓ５３）。
【０２０１】
受信した登録操作メッセージには、操作種別として登録を示す値２が含まれる。
【０２０２】
通知センターサーバ８０は、操作種別が登録を示す値１が含まれない場合（Ｓ５３でＮｏの場合）、受信した登録操作メッセージから入力情報と自販機１０を示す識別子を抽出する（Ｓ６１）。
【０２０３】
次に、通知センターサーバ８０は、データベース８１に登録されている個人情報の中に、Ｓ６１で抽出した入力情報と同じ個人情報があるか否かを判別する（Ｓ６２）。
【０２０４】
通知センターサーバ８０は、入力情報と同じ個人情報がある場合（Ｓ６２でＹｅｓの場合）には、当該個人情報と、当該個人情報に対応する自販機の位置情報をデータベース８１から抽出する（Ｓ６３）。
【０２０５】
以下、通知センターサーバ８０が、個人情報（甲の名前）と自販機９の位置情報を抽出したものとして説明を続ける。
【０２０６】
次に、通知センターサーバ８０は、抽出した個人情報（甲の名前）と自販機９の位置情報を、自販機１０宛ての通知メッセージに含め、当該通知メッセージをメッセージ記憶メモリに記憶する（Ｓ６４）。
【０２０７】
なお、通知センターサーバ８０は、Ｓ６１で抽出した自販機１０を示す識別子、及び生存を示す識別子も自販機１０宛ての通知メッセージに含める。
【０２０８】
（２−３）自販機１０の動作
その後、自販機１０は、所定のタイミングになって問い合わせメッセージを送信（Ｓ１０）し、通知センターサーバ８０から自分宛ての通知メッセージを受信したとする。
【０２０９】
自販機１０は、図１５に示されるように、受信した通知メッセージに生存を示す識別子が含まれているか判別する（Ｓ７０）。
【０２１０】
自販機１０は、受信した通知メッセージに生存を示す識別子が含まれている場合（Ｓ７０でＹｅｓの場合）、当該通知メッセージから個人情報（甲の名前）と自販機９の位置情報を抽出し、それらをディスプレイ１０１に表示する（Ｓ７１）。
【０２１１】
なお、自販機１０は、地図を表示し、抽出した自販機９の位置情報に対応する地図上の位置に、個人情報（甲の名前）を表示してもよい。また、自販機１０は、個人情報（甲の名前）の下に「この方は生存しております」との文字も表示してもよい。
【０２１２】
利用者甲の母親乙は、息子甲が災害発生後も生存していることを知ることができる。
【０２１３】
（２−４）入力情報と同じ個人特定情報が登録されていなかった場合の動作
ところで、通知センターサーバ８０は、Ｓ６２の判別において、入力情報と同じ個人情報がなかった場合（Ｓ６２でＮｏの場合）には、生存不明であることを示す識別子を含む自販機１０宛ての通知メッセージをメッセージ記憶メモリに記憶する（Ｓ６５）。
【０２１４】
その後、自販機１０は、Ｓ７０の判別において、受信した通知メッセージに生存を示す識別子が含まれていない場合（Ｓ７０でＮｏの場合）となり、自販機１０は、ディスプレイ１０１に「情報が登録されていません。入力された方の安否は不明です。」と表示する（Ｓ７３）。
【０２１５】
（３）カメラ９４、１０４で撮った画像データについて
自販機９、１０は、Ｓ５２の後に、カメラ９４、１０４で撮った画像データを通知センターサーバ８０に送信してもよい。その場合、通知センターサーバ８０は、受信した画像データを記憶する。本実施形態の管理者は、後日、画像データを解析し、安否登録を行った甲の様子を、母親乙に知らせてもよい。
【０２１６】
上述した以外の動作は、第１の実施の形態におけるシステムと同じであるので、同一の符号を付して説明を省略する。
【０２１７】
［効果の説明］
本実施形態のシステムは、自販機を介して安否確認サービスを提供することができる。
【０２１８】
本実施形態のシステムは、災害時、安否登録の為に自販機に入力された情報をサーバに登録し、安否確認の為に自販機に入力された情報と同じ情報がサーバに登録されているかを確認し、登録されている場合に、当該情報を自販機に表示させるからである。
【０２１９】
≪第５の実施の形態≫
本実施形態のシステムは、竜巻やゲリラ豪雨の発生が予想されるエリアの自販機に、竜巻やゲリラ豪雨から避難する場所を示す矢印を表示するシステムである。
【０２２０】
以下に、第５の実施の形態のシステムの構成と動作について説明する。図１６は、本発明の第５の実施の形態におけるシステムの構成例を示す図である。
【０２２１】
［構成の説明］
（１）第５の実施形態のシステムの構成
第５の実施形態のシステムは、図１６に示されるように、通知センターサーバ８０と災害情報配信システム５０の代わりに、通知センターサーバ１１０と災害情報配信システム１２０を備える。また、第５の実施形態のシステムは、自販機９、１０の代わりに、自販機１２、１３を備える。通知センターサーバ１１０は、データベース８１の代わりに、データベース１１１を備える。
【０２２２】
（２）災害情報配信システム１２０について
災害情報配信システム１２０は、気象庁気象業務支援センターに設置されている一般的なシステムと同様、竜巻注意情報や記録的短時間大雨情報を配信する。竜巻注意情報や記録的短時間大雨情報は、災害メッセージである。災害情報配信システム１２０は、配信する災害メッセージ（竜巻注意情報や記録的短時間大雨情報）に、竜巻やゲリラ豪雨の通過が予想されるいくつかのエリアのエリア名（以下、「予想進路情報」という）と、災害種別情報と、を含める。災害種別情報は、発生が予想される竜巻を示す情報又はゲリラ豪雨を示す情報である。竜巻を示す情報は、例えば値４４０で、ゲリラ豪雨を示す情報は、例えば値４４１であってもよい。予想進路情報と災害種別情報は、本実施形態のシステムの管理者によって災害情報配信システム１２０に設定される。
【０２２３】
本実施形態のシステムの管理者は、ゲリラ豪雨の通過が予想されるエリアを周知の高解像度降水ナウキャストシステムを用いて予想し、そのエリア名を予想進路情報として情報配信システム１２０に設定してもよい。
【０２２４】
本実施形態のシステムの管理者は、竜巻の発生確度の高く、通過が予想されるエリアを周知の竜巻発生確度ナウキャストシステムを用いて予想し、そのエリア名を予想進路情報として情報配信システム１２０に設定してもよい。
【０２２５】
（３）データベース１１１に格納されるテーブルについて
データベース１１１には、図３のテーブルと同様、エリア名と、当該エリアに設置されている自販機の位置情報と、最寄の避難場所の位置情報と、当該自販機の識別子と、が対応づけられたテーブルが設定される。本実施形態のシステムの管理者が上述のテーブルをデータベース１１１に設定する。但し、本実施形態のシステムの管理者は、避難場所の位置情報として、竜巻やゲリラ豪雨に耐えられる建物の位置情報を設定する。
【０２２６】
上述した以外の構成は、第４の実施の形態におけるシステムと同じであるので、同一の符号を付して説明を省略する。
【０２２７】
[動作の説明]
次に、本実施形態のシステムの動作を説明する。図１７は、本発明の第５の実施の形態におけるシステムの動作を説明する為の図である。
【０２２８】
まず、通知センターサーバ１１０は、図１７に示されるように、災害情報配信システム１２０から配信された災害メッセージ（竜巻注意情報や記録的短時間大雨情報）から予想進路情報（竜巻やゲリラ豪雨の通過が予想されるエリア名）を抽出する（Ｓ８１）。その際、通知センターサーバ１１０は、災害種別情報（すなわち、発生が予想される竜巻を示す情報又はゲリラ豪雨を示す情報）も災害メッセージから抽出する。以下、通知センターサーバ１１０が、災害種別情報として、竜巻を示す情報（値４４０）を抽出したものとして説明を続ける。
【０２２９】
次に、Ｓ８１の後、通知センターサーバ１１０は、抽出した予想進路情報（エリア名）に対応する、当該エリアに設置されている自販機の位置情報、最寄の避難場所の位置情報、及び当該自販機の識別子をデータベース１１１のテーブルから抽出する（Ｓ８２）。
【０２３０】
以下、通知センターサーバ１１０が、自販機１２の位置情報、最寄の避難場所の位置情報、及び自販機１２の識別子を抽出し、さらに、自販機１３の位置情報、最寄の避難場所の位置情報、及び自販機１３の識別子を抽出したものとして説明を続ける。
【０２３１】
次に、通知センターサーバ１１０は、抽出した各自販機１２、１３の位置情報毎に、Ｓ３〜Ｓ９を実施する（Ｓ３〜Ｓ９）。但し、通知センターサーバ１１０は、Ｓ２をＳ８２と読み替えた上でＳ３〜Ｓ９を実施する。さらに、通知センターサーバ１１０は、Ｓ７において、作成した自販機１２、１３宛ての避難通知メッセージに、Ｓ８１で抽出した災害種別情報（値４４０）を含める。
【０２３２】
Ｓ３〜Ｓ９を実施した果、通知センターサーバ１１０は、自販機１２宛ての避難通知メッセージと自販機１３宛ての避難通知メッセージをメッセージ記憶メモリに記憶する。各避難通知メッセージには、避難場所に向かう方角を示す情報と災害種別情報（値４４０）が含まれる。
【０２３３】
自販機１２、１３は、Ｓ１０を実施し、自分宛ての避難通知メッセージを受信すると、Ｓ１１、Ｓ１３、Ｓ１４を実施し、避難する方向を示す矢印を表示する。
【０２３４】
また、自販機１２、１３は、受信した避難通知メッセージに災害種別情報（値４４０）が含まれるか否かを判別する。
【０２３５】
自販機１２、１３は、受信した避難通知メッセージに災害種別情報（値４４０）が含まれている場合には、「これから竜巻が来ることが予想されます。矢印の方向に避難して下さい」と、竜巻の到来が予想されることを示す文字列を表示する。
【０２３６】
自販機１２、１３周辺の人々は、竜巻の到来を予想し、表示される矢印に従って避難することができる。
【０２３７】
なお、自販機１２、１３は、受信した避難通知メッセージに災害種別情報（値４４０）が含まれない場合、避難通知メッセージに災害種別情報（値４４１）が含まれるか否かを判別する。値４４１は、発生が予想されるゲリラ豪雨を示す情報である。
【０２３８】
自販機１２、１３は、避難通知メッセージに災害種別情報（値４４１）が含まれる場合には、「これから短時間に大雨が降ることが予想されます。矢印の方向に避難して下さい」と、ゲリラ豪雨の到来が予想されることを示す文字を表示する。
【０２３９】
避難通知メッセージに災害種別情報（値４４１）が含まれない場合には、自販機１２、１３は、何もせず、次にＳ１０を実施する所定のタイミングを待つ。
【０２４０】
上述した以外の動作は、第４の実施の形態におけるシステムと同じであるので、同一の符号を付して説明を省略する。
【０２４１】
［効果の説明］
本実施形態のシステムは、竜巻やゲリラ豪雨が通過すると予想されるエリアにおいて、人々を避難場所に避難させることができる。
【０２４２】
なぜなら、本実施形態のシステムは、竜巻やゲリラ豪雨が通過すると予想されるエリアの各自販機に対し、避難場所に向かう方角を矢印で表示し、さらに、竜巻やゲリラ豪雨の到来が予想されることを示す情報を表示するからである。
【０２４３】
≪第６の実施の形態≫
本実施形態のシステムは、迷子になった子供や逃走中である事件の被疑者の情報を自販機に表示させ、情報提供や注意を呼びかけるシステムである。
【０２４４】
図１８は、本発明の第６の実施の形態におけるシステムの構成例を示す図である。以下に、第６の実施の形態のシステムの構成と動作について説明する。
【０２４５】
［構成の説明］
（１）第６の実施形態のシステムの構成
第６の実施形態のシステムは、図１８に示されるように、自販機１２、自販機１３、及び通知センターサーバ１１０の代わりに、自販機１４、自販機１５、及び通知センターサーバ１６０を備える。本実施形態のシステムは、情報通知装置１７０を備える。情報通知装置１７０は、ネットワーク４０を介して通知センターサーバ１６０と接続される。
【０２４６】
（２）情報通知装置１７０について
情報通知装置１７０は、警察庁等の警察関係施設に設置され、迷子になった子供や逃走中の被疑者の情報を通知センターサーバ１６０に配信する装置である。
【０２４７】
その為に、情報通知装置１７０は、キーボードやスキャナー等の入力手段を備える。
【０２４８】
情報通知装置１７０には、入力手段を介し、警察関係者によって、迷子の子供の情報と捜索エリア名（以下、「捜索情報」という）が入力される。迷子の子供の情報とは、例えば、迷子の子供の特徴を示すデータや顔写真データである。情報通知装置１７０は、捜索情報が入力され、さらにキーボードの所定のボタン（以下、「捜索ボタン」という）が押下されると、捜索情報と迷子捜索を示す識別子を含む防犯メッセージを通知センターサーバ１６０に通知する。
【０２４９】
同様に、情報通知装置１７０には、入力手段を介して、警察関係者によって、逃走中の被疑者の情報と捜索エリア名（以下、「事件情報」という）が入力される。被疑者の情報とは、例えば、被疑者の特徴を示す情報や顔写真データ、似顔絵データである。情報通知装置１７０は、事件情報が入力され、さらにキーボードの所定のボタン（以下、「事件ボタン」という）が押下されると、事件情報と事件発生を示す識別子を含む防犯メッセージを通知センターサーバ１６０に通知する。捜索ボタンと事件ボタンは異なるボタンである。
【０２５０】
（３）通知センターサーバ１６０の機能
通知センターサーバ１６０は、通知された防災メッセージに、迷子捜索を示す識別子が含まれているか、事件発生を示す識別子が含まれているかを判別する。
【０２５１】
通知センターサーバ１６０は、防災メッセージに迷子捜索を示す識別子が含まれていた場合、（防災メッセージに含まれる）捜索エリア名のエリアの各自販機に対して、迷子の子供の情報を含む迷子捜索メッセージを送信する。
【０２５２】
通知センターサーバ１６０は、防災メッセージに事件発生を示す識別子が含まれていた場合、（防災メッセージに含まれる）捜索エリア名のエリアの各自販機に対して、被疑者の情報を含む被疑者捜索メッセージを送信する。
【０２５３】
（４）自販機１４、１５の機能
自販機１４、１５は、受信した迷子捜索メッセージに含まれる迷子の子供の情報をディスプレイ９１、１０１に表示する。自販機１４、１５は、受信した被疑者捜索メッセージに含まれる被疑者の情報をディスプレイ９１、１０１に表示する。
【０２５４】
上述した以外の構成や機能は、第５の実施の形態におけるシステムと同じであるので、同一の符号を付して説明を省略する。
【０２５５】
[動作の説明]
次に、本実施形態のシステムの動作を説明する。図１９、２０は、本発明の第６の実施の形態におけるシステムの動作を説明する為の図である。
【０２５６】
（１）迷子の子供の情報を捜索エリアの自販機に表示させる動作
まず、子供を見失った親が交番の警察官に子供が迷子であることを伝え、警察官が、迷子の子供の情報（子供の特徴を示すデータや顔写真データ）と捜索エリア名を交番に設置してある情報通知装置１７０に入力したとする。入力は情報通知装置１７０のキーボードやスキャナーを介して行われる。
【０２５７】
情報通知装置１７０は、図示していないが、捜索ボタンが押下されると、入力された迷子の子供の情報、捜索エリア名、及び迷子捜索を示す識別子を含む防犯メッセージを通知センターサーバ１６０に通知する。
【０２５８】
通知センターサーバ１６０は、図１９に示されるように、通知された防災メッセージに、迷子捜索を示す識別子が含まれているか、事件発生を示す識別子が含まれているかを判別する（Ｓ９０）。
【０２５９】
通知センターサーバ１６０は、防災メッセージに迷子捜索を示す識別子が含まれていた場合、防災メッセージから捜索エリア名と迷子の子供の情報を抽出する（Ｓ９１）。
【０２６０】
次に、通知センターサーバ１６０は、捜索エリア名に対応する、当該エリアに設置されている自販機の識別子をデータベース８１のテーブルから抽出する（Ｓ９２）。
【０２６１】
以下、通知センターサーバ１６０が自販機１４、１５の識別子を抽出したものとして説明を続ける。
【０２６２】
次に、通知センターサーバ１６０は、抽出した自販機の識別子（自販機１４、１５の識別子）毎に、当該識別子を含む当該自販機（例えば自販機１４、１５）宛ての迷子捜索メッセージを作成し、メッセージ記憶メモリに記憶する（Ｓ９３）。なお、通知センターサーバ１６０は、迷子捜索メッセージに、Ｓ９１で抽出した子供の情報を含めて記憶する。
【０２６３】
メッセージ記憶メモリには、自販機１４宛ての迷子捜索メッセージと、自販機１５宛ての迷子捜索メッセージと、が記憶される。
【０２６４】
その後、自販機１４、１５は、Ｓ１０を実施して通知センターサーバ１６０にメッセージの問い合わせを行い、通知センターサーバ１６０は、自販機１４、１５に対し、迷子捜索メッセージを送信する。
【０２６５】
自販機１４、１５は、図２０の上図に示されるように、受信した迷子捜索メッセージに含まれる迷子の子供の情報（子供の特徴を示すデータや顔写真データ）をディスプレイ９１、１０１に表示する（Ｓ１１０）。
【０２６６】
その際、自販機１４、１５は、「この子供を見かけたら０１２０−ＸＸ−ＸＸＸＸ（最寄の交番の電話番号）に連絡下さい」と連絡を示すメッセージも表示する（Ｓ１１１）。本実施形態のシステムは、迷子の子供の情報提供を呼びかけることができる。
【０２６７】
（２）逃走中の被疑者の情報を捜索エリアの自販機に表示させる動作
迷子の子供の場合と同じであるが、警察官は、逃走中である事件の被疑者の情報（例えば、被疑者の特徴を示すデータや似顔絵データ）と捜索エリア名を交番に設置してある情報通知装置１７０に入力することができる。入力は情報通知装置１７０のキーボードやスキャナーを介して行われる。
【０２６８】
情報通知装置１７０は、図示していないが、事件ボタンが押下されると、入力された被疑者の情報、捜索エリア名、及び事件発生を示す識別子を含む防犯メッセージを通知センターサーバ１６０に通知する。
【０２６９】
通知センターサーバ１６０は、図１９に示されるように、通知された防災メッセージに、迷子捜索を示す識別子が含まれているか、事件発生を示す識別子が含まれているかを判別する（Ｓ９０）。
【０２７０】
通知センターサーバ１６０は、防災メッセージに事件発生を示す識別子が含まれていた場合、防災メッセージから捜索エリア名と被疑者の情報を抽出する（Ｓ１０１）。
【０２７１】
次に、通知センターサーバ１６０は、捜索エリア名に対応する、当該エリアに設置されている自販機の識別子をデータベース８１のテーブルから抽出する（Ｓ９２）。
【０２７２】
以下、通知センターサーバ１６０が自販機１４、１５の識別子を抽出したものとして説明を続ける。
【０２７３】
次に、通知センターサーバ１６０は、抽出した自販機の識別子（自販機１４、１５の識別子）毎に、当該識別子を含む当該自販機（例えば自販機１４、１５）宛ての被疑者捜索メッセージを作成し、メッセージ記憶メモリに記憶する（Ｓ１０３）。なお、通知センターサーバ１６０は、被疑者捜索メッセージに、Ｓ１０１で抽出した被疑者の情報を含めた上で記憶する。
【０２７４】
メッセージ記憶メモリには、自販機１４宛ての被疑者捜索メッセージと、自販機１５宛ての被疑者捜索メッセージと、が記憶される。
【０２７５】
その後、自販機１４、１５は、Ｓ１０を実施して通知センターサーバ１６０にメッセージの問い合わせを行い、通知センターサーバ１６０は、自販機１４、１５に対し、被疑者捜索メッセージを送信する。
【０２７６】
自販機１４、１５は、図２０の下図に示されるように、受信した被疑者捜索メッセージに含まれる被疑者の情報（被疑者の特徴を示すデータや似顔絵データ）をディスプレイ９１、１０１に表示する（Ｓ１２０）。
【０２７７】
この際、自販機１４、１５は、「この人物を見かけたら１１０番。逃走中」とのメッセージも表示する（Ｓ１２１）。本実施形態のシステムは、被疑者の情報提供と注意を呼びかけることができる。
【０２７８】
なお、自販機１４、１５は、避難場所に向かう方向を示す矢印、被疑者の情報、迷子の子供の情報各々をディスプレイ９１、１０１に並べて表示してもよい。
【０２７９】
（３）カメラ起動動作
自販機１４、１５は、上述のＳ１２１の後、自身に備わるカメラ９４、１０４を起動し、カメラ９４、１０４で撮った画像データを通知センターサーバ１１０に送信してもよい。その場合、通知センターサーバ１１０は、自販機１４、１５が撮影した画像データを受信して記憶する。警察関係者は、通知センターサーバ１１０に記憶された画像データを解析することで、逃走中の被疑者を見つけ出してもよい。
【０２８０】
［効果の説明］
本実施形態によれば、迷子の子供や逃走中の被疑者に関する情報提供を呼びかけることができる。なぜなら、本実施形態のシステムは、迷子の子供や被疑者の情報を自販機に表示させるからである。
【０２８１】
≪第７の実施の形態≫
図２１は、本発明の第７の実施の形態におけるシステムの構成例を示す図である。以下に、第７の実施の形態のシステムの構成と動作について説明する。
【０２８２】
［構成の説明］
（１）第７の実施形態のシステムの構成
第７の実施形態のシステムは、図２１に示されるように、制御装置２００と、表示装置２１０と、を備える。制御装置２００は、記憶部２０１と、ルート検索部２０２と、方角算出部２０３と、送信部２０４と、を備える。表示装置２１０は、表示手段２１１を備える。表示手段２１１は一般的なディスプレイであってもよい。
【０２８３】
制御装置２００の送信部２０４は、表示装置２１０と有線回線を介して接続される。
【０２８４】
（２）制御装置２００の各部位の機能
記憶部２０１は、接続された表示装置２１０の位置を示す第１の位置情報と、表示装置２１０から避難する避難場所の位置を示す第２の位置情報と、を対応づけて記憶する。
【０２８５】
ルート検索部２０２は、所定の契機に、記憶部２０１から抽出した第１、第２の位置情報を基に表示装置２１０から上述の避難場所までの道路を検索する。所定の契機は、緊急地震速報等の災害メッセージを受信したときであってもよい。
【０２８６】
方角算出部２０３は、ルート検索部２０２により検索された道路のうち、表示装置２１０最寄の道路が避難場所に向かう方角を算出する。
【０２８７】
送信部２０４は、方角算出部２０３が算出した方角に対応する信号を表示装置２１０に送信する。
【０２８８】
（３）表示装置２１０の機能
表示装置２１０は、受信した信号が示す方角と表示手段２１１の向きに対応する、避難場所に向かう方向を示す記号を表示手段２１１に表示する。記号は矢印であってもよい。
【０２８９】
[動作の説明]
次に、本実施形態のシステムの動作を説明する。
【０２９０】
まず、制御装置２００が所定の災害メッセージ（緊急地震速報）を気象庁の配信システムから受信したとする。
【０２９１】
制御装置２００のルート検索部２０２は、所定の契機、例えば、災害メッセージ（緊急地震速報）を受信したときに、記憶部２０１から抽出した第１、第２の位置情報を基に表示装置２１０から避難場所までの道路を検索する。
【０２９２】
第１の位置情報は表示装置２１０の位置を示す位置情報であり、第２の位置情報は避難場所の位置を示す第２の位置情報である。ルート検索部２０２は、周知のカーナビ経路探索技術を用いて避難場所までの道路を検索する。その結果、検索された避難場所までの各道路は、各々、一般的な道路リンクデータとして表わされる。一般的な道路リンクデータは、当該道路起点の位置情報（緯度・経度）と当該道路終点の位置情報（緯度・経度）を含むデータである。
【０２９３】
次に、制御装置２００の方角算出部２０３は、ルート検索部２０２により検索された道路のうち、表示装置２１０最寄の道路が避難場所に向かう方角（東西南北）を算出する。
【０２９４】
すなわち、方角算出部２０３は、第１の位置情報（緯度・経度）に最も近い道路起点の位置情報（緯度・経度）を含む道路リンクデータを求め、該道路リンクデータの道路起点の位置情報（緯度・経度）から道路終点の位置情報（緯度・経度）に向かう方角を求める。
【０２９５】
次に、制御装置２００の送信部２０４は、方角算出部２０３が算出した方角に対応する信号を表示装置２１０に送信する。
【０２９６】
次に、表示装置２１０は、制御装置２００の送信部２０４から受信した信号が示す避難場所に向かう方角（例えば、南）と表示手段２１１の向き（例えば、東）に対応する、避難場所に向かう方向（例えば、右）を示す矢印を表示手段２１１に表示する。
【０２９７】
［効果の説明］
本実施形態によれば、災害が発生した時、土地勘のない人でも、速やかに避難行動を行うことができる。
【０２９８】
なぜならば、本実施形態のシステムでは、サーバが、各自販機に対し、当該自販機から避難場所に向かう方角を通知し、自販機が、通知された方角を基に、避難場所に向かう方向を矢印で表示するからである。土地勘のない人であっても、矢印の方向に進めばよいので、速やかに避難行動を行うことができる。
【０２９９】
なお、上述した実施の形態は、その形態に限定されるものではなく、実施段階ではその要旨を逸脱しない範囲で種々変更可能である。
【０３００】
さらに、上記の各実施形態の一部又は全部は、以下の付記のようにも記載されうるが、以下には限られない。
（付記１）
接続された表示装置の位置を示す第１の位置情報と、前記表示装置から避難する避難場所の位置を示す第２の位置情報と、を対応づけて記憶する記憶部と、
所定の契機に、前記記憶部から抽出した前記第１、第２の位置情報を基に前記表示装置から前記避難場所までの道路を検索するルート検索部と、
前記ルート検索部により検索された道路のうち、前記表示装置最寄の道路が前記避難場所に向かう方角を算出する方角算出部と、
前記方角算出部が算出した前記方角に対応する信号を前記表示装置に送信する送信部と、
を備えることを特徴とする制御装置。
（付記２）
複数の前記表示装置が接続され、
前記所定の契機に、前記憶部に記憶される全ての前記第１の位置情報のうち、前記記憶部から任意に抽出した１組の前記第１、第２の位置情報の間に位置する前記第１の位置情報の数を算出する密度算出部を備え、
前記送信部は、前記密度算出部が算出した前記数が一定数以下である場合に、前記密度算出部により抽出された前記第１、第２の位置情報と地図を示す情報を含む信号を、抽出された前記第１の位置情報に係る前記表示装置に送信する、
ことを特徴とする付記１に記載の制御装置。
（付記３）
前記送信部は、前記密度算出部が算出した前記数が一定数より大きい場合に、前記方角に対応する信号を、抽出された前記第１の位置情報に係る前記表示装置に送信する、
ことを特徴とする付記２に記載の制御装置。
（付記４）
前記記憶部は、エリア名と対応づけて前記第１、第２の位置情報を記憶し、
前記ルート検索部は、受信した所定の災害メッセージより抽出したエリア名に対応する前記第１、第２の位置情報を前記記憶部から抽出する、
ことを特徴とする付記１乃至３のいずれか１項に記載の制御装置。
（付記５）
表示手段を備える装置であって、
受信した信号が示す方角と前記表示手段の向きに対応する、避難場所に向かう方向を示す記号を前記表示手段に表示する、
ことを特徴とする表示装置。
（付記６）
接続する無線通信先の基地局から繰り返し送信される所定の信号を所定時間受信しない場合には、無線通信不可を示す情報を前記表示手段に表示する、
ことを特徴とする付記５に記載の表示装置。
（付記７）
前記表示手段に所定の地図を表示し、
受信した前記信号に地図を示す情報と前記位置情報が含まれる場合には、前記位置情報を前記地図上に表示する、
ことを特徴とする付記５乃至６のいずれか１項に記載の表示装置。
（付記８）
少なくとも１つの表示装置と接続された制御装置を備え、
前記制御装置は、付記１乃至４のいずれか１項に記載の制御装置であり、
前記表示装置は、付記５乃至７のいずれか１項に記載の表示装置である、
ことを特徴とするシステム。
（付記９）
所定の契機に、表示装置の位置を示す第１の位置情報と、前記表示装置から避難する避難場所の位置を示す第２の位置情報と、を対応づけて記憶する記憶手段から抽出した前記第１、第２の位置情報を基に前記表示装置から前記避難場所までの道路を検索するルート検索ステップと、
前記ルート検索ステップにより検索された道路のうち、前記表示装置最寄の道路が前記避難場所に向かう方角を算出する方角算出ステップと、
前記方角算出ステップで算出した前記方角に対応する信号を前記表示装置に送信する送信ステップと、
表示手段を備えた前記表示装置が、受信した信号が示す方角と前記表示手段の向きに対応する、前記避難場所に向かう方向を示す記号を前記表示手段に表示する表示ステップと、を有する、
ことを特徴とする避難情報提供方法。
（付記１０）
前記所定の契機に、前記記憶手段に記憶される全ての前記第１の位置情報のうち、前記記憶手段から任意に抽出した１組の前記第１、第２の位置情報の間に位置する前記第１の位置情報の数を算出する密度算出ステップを有し、
前記送信ステップでは、前記密度算出ステップで算出された前記数が一定数以下である場合に、前記密度算出ステップで抽出された前記第１、第２の位置情報と地図を示す情報を含む信号を、抽出された前記第１の位置情報に係る前記表示装置に送信し、
前記表示装置は、前記表示ステップにおいて、受信した信号に地図を示す情報と前記位置情報が含まれる場合には、前記第１、第２の位置情報を前記地図上に表示する、
ことを特徴とする付記９に記載の避難情報提供方法。
（付記１１）
前記送信ステップでは、前記密度算出ステップで算出された前記数が一定数より多い場合、前記方角に対応する信号を、抽出された前記第１の位置情報に係る前記表示装置に送信する、
ことを特徴とする付記１０に記載の避難情報提供方法。
（付記１２）
前記ルート検索ステップでは、エリア名と対応づけて前記第１、第２の位置情報を記憶する記憶手段から、受信した所定の災害メッセージより抽出した前記エリア名に対応する前記第１、第２の位置情報を抽出する、
ことを特徴とする付記９乃至１１のいずれか１項に記載の避難情報提供方法。
（付記１３）
かざされた所定のカードから個人識別情報を読み取るカードリーダ部と、
前記カードリーダ部が読み取った前記個人識別情報と、自身の位置情報と、登録を示す識別子と、を含む登録信号を送信する登録部と、
入力された個人識別情報と、検索を示す識別子と、を含む検索信号を送信する検索部と、
前記検索部による前記送信に応じて返信された前記個人識別情報及び位置情報、若しくは安否確認不明を示す情報を前記表示手段に表示する、
ことを特徴とする付記５乃至７のいずれか１項に記載の表示装置。
（付記１４）
迷子若しくは行方不明者の情報を含む防犯メッセージを送信する防犯通知部と、
受信した捜索メッセージに含まれる、迷子若しくは行方不明者の情報を前記表示手段に表示する防犯表示部と、を備える、
ことを特徴とする付記５乃至７のいずれか１項、又は付記１３に記載の表示装置。
（付記１５）
受信した前記信号に災害種別情報が含まれる場合には、前記災害種別情報が示す災害の到来が予想されることを示す情報を表示する、
ことを特徴とする付記５乃至７のいずれか１項、又は付記１３乃至１４のいずれか１項に記載の表示装置。
（付記１６）
登録を示す識別子を含む登録信号を受信した場合、前記登録信号に含まれる個人識別情報及び前記表示装置の位置情報を対応づけて記憶するデータベース部と、
検索を示す識別子を含む検索信号を受信した場合、前記検索信号に含まれる前記個人識別情報が前記データベース部に記憶されているかを検索する検索部と、
前記検索部は、前記検索の結果、前記個人識別情報がデータベース部に記憶されている場合、前記個人識別情報と、対応する前記表示装置の位置情報とを、前記位置情報に係る前記表示装置に返信する、
ことを特徴とする付記１乃至４のいずれか１項に記載の制御装置。
（付記１７）
前記送信部は、受信した所定の防犯メッセージに含まれる迷子若しくは行方不明者の情報の情報を所定の前記表示装置に送信する、
ことを特徴とする付記１乃至４のいずれか１項、又は付記１６に記載の制御装置。
（付記１８）
前記所定の契機は、前記所定の災害メッセージを受信したときである、
ことを特徴とする付記１、２、３、４、１６、１７のいずれか１項に記載の制御装置。
（付記１９）
前記所定の災害メッセージは、緊急地震速報、津波警報、津波、竜巻注意情報、記録的短時間大雨情報のいずれかである、
ことを特徴とする付記１、２、３、４、１６、１７、１８のいずれか１項に記載の制御装置。
（付記２０）
前記送信部は、前記災害メッセージが竜巻注意情報、記録的短時間大雨情報の場合に、竜巻若しくは短時間大雨を示す災害種別情報を含む信号を送信する、
ことを特徴とする付記１、２、３、４、１６、１７、１８、１９のいずれか１項に記載の制御装置。
【符号の説明】
【０３０１】
１、２、５、６、７、１２、１３、１４、１５    自販機
１１、２１、７１、９１、１０１    ディスプレイ
２０    無線基地局
３０、６０、８０、１１０、１６０    通知センターサーバ
３１、８１、１１１    データベース
４０    ネットワーク
５０    災害情報配信システム
９２、１０２    キーボード
９３、１０３    ＩＣ（Ｉｎｔｅｇｒａｔｅｄ  Ｃｉｒｃｕｉｔ）カードリーダ
９４、１０４    カメラ
１２０    災害情報配信システム
１７０    情報通知装置
２００    制御装置
２１０    表示装置
２０１    記憶部
２０２    ルート検索部
２０３    方角算出部
２０４    送信部
２１１    表示手段
【図１】
2016153927.tif 000005
【図２】
2016153927.tif 000006
【図３】
2016153927.tif 000007
【図４】
2016153927.tif 000008
【図５】
2016153927.tif 000009
【図６】
2016153927.tif 000010
【図７】
2016153927.tif 000011
【図８】
2016153927.tif 000012
【図９】
2016153927.tif 000013
【図１０】
2016153927.tif 000014
【図１１】
2016153927.tif 000015
【図１２】
2016153927.tif 000016
【図１３】
2016153927.tif 000017
【図１４】
2016153927.tif 000018
【図１５】
2016153927.tif 000019
【図１６】
2016153927.tif 000020
【図１７】
2016153927.tif 000021
【図１８】
2016153927.tif 000022
【図１９】
2016153927.tif 000023
【図２０】
2016153927.tif 000024
【図２１】
2016153927.tif 000025